(57)【要約】【課題】ユーザの手間を掛けずに、動画中の代表的なシーンを表すサムネイル画像を生成することができる記録装置を提供する。【解決手段】記録装置は、動画の記録中に音量レベル変動量│Ｐ０−Ｐ１│を検出し（ステップＳ２０２〜Ｓ２０４）、検出された音量レベル変動量│Ｐ０−Ｐ１│が閾値Ｌを超えた場合（ステップＳ２０５）、現在記録中の動画のフレームをキャプチャし、このフレームの画像の解像度を低下させることによって、動画用サムネイル画像としての静止画を作成する（ステップＳ２０６）。【選択図】      図２
2004159265.tif 000002
【特許請求の範囲】
【請求項１】
動画を音声とともに記録することが可能な記録装置であって、
前記動画の記録中に音声レベル変動量を検出する検出手段と、
前記検出された音声レベル変動量が閾値を超えたか否かを判定する判定手段と、
前記判定手段により前記検出された音声レベル変動量が前記閾値を超えたと判定された場合、現在記録中の動画のフレームを取り込み、該取り込んだフレームの画像に基づき静止画を動画用サムネイル画像として作成するサムネイル作成手段と
を備えることを特徴とする記録装置。
【請求項２】
記録開始から終了まで連続した１つの記録期間中に作成する動画用サムネイル画像数を指定する指定手段を備え、前記サムネイル作成手段は、前記閾値を超えた音声レベル変動量のうち、最大の音声レベル変動量から順に前記指定された動画用サムネイル画像数分の音声レベル変動量までの静止画を前記動画用サムネイル画像とすることを特徴とする請求項１記載の記録装置。
【請求項３】
前記サムネイル作成手段は、前記取り込んだフレームの画像の解像度を低下させることによって前記静止画を作成することを特徴とする請求項１または２記載の記録装置。
【請求項４】
動画を音声とともに記録することが可能な記録装置であって、
前記動画の記録中に音声レベルを検出する検出手段と、
前記検出された音声レベルが閾値を超えたか否かを判定する判定手段と、
前記判定手段により前記検出された音声レベルが前記閾値を超えたと判定された場合、現在記録中の動画のフレームを取り込み、該取り込んだフレームの画像に基づき静止画を動画用サムネイル画像として作成するサムネイル作成手段と
を備えることを特徴とする記録装置。
【請求項５】
記録開始から終了まで連続した１つの記録期間中に作成する動画用サムネイル画像数を指定する指定手段を備え、前記サムネイル作成手段は、前記閾値を超えた音声レベルのうち、最大の音声レベルから順に前記指定された動画用サムネイル画像数分の音声レベルまでの静止画を前記動画用サムネイル画像とすることを特徴とする請求項４記載の記録装置。
【請求項６】
前記サムネイル作成手段は、前記取り込んだフレームの画像の解像度を低下させることによって前記静止画を作成することを特徴とする請求項４または５記載の記録装置。
【請求項７】
動画を音声とともに記録することが可能な記録装置であって、
前記動画の記録中に周波数毎の音声レベル変動量を検出する検出手段と、
前記検出された周波数毎の音声レベル変動量が閾値を超えたか否かを判定する判定手段と、
前記判定手段により前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成手段と
を備えることを特徴とする記録装置。
【請求項８】
記録開始から終了まで連続した１つの記録期間中に作成する動画用サムネイル画像数を指定する指定手段を備え、前記サムネイル作成手段は、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする請求項７記載の記録装置。
【請求項９】
前記サムネイル作成手段は、前記取り込んだフレームの画像の解像度を低下させることによって前記静止画を作成することを特徴とする請求項７または８記載の記録装置。
【請求項１０】
動画を音声とともに記録することが可能な記録装置の動画用サムネイル画像作成方法であって、
前記動画の記録中に音声レベル変動量を検出する検出工程と、
前記検出された音声レベル変動量が閾値を超えたか否かを判定する判定工程と、
前記判定工程により前記検出された音声レベル変動量が前記閾値を超えたと判定された場合、現在記録中の動画のフレームを取り込み、該取り込んだフレームの画像に基づき静止画を動画用サムネイル画像として作成するサムネイル作成工程と
を有することを特徴とする動画用サムネイル画像作成方法。
【請求項１１】
記録開始から終了まで連続した１つの記録期間中に作成する動画用サムネイル画像数を指定する指定工程を有し、前記サムネイル作成工程では、前記閾値を超えた音声レベル変動量のうち、最大の音声レベル変動量から順に前記指定された動画用サムネイル画像数分の音声レベル変動量までの静止画を前記動画用サムネイル画像とすることを特徴とする請求項１０記載の動画用サムネイル画像作成方法。
【請求項１２】
前記サムネイル作成工程では、前記取り込んだフレームの画像の解像度を低下させることによって前記静止画を作成することを特徴とする請求項１０または１１記載の動画用サムネイル画像作成方法。
【請求項１３】
動画を音声とともに記録することが可能な記録装置の動画用サムネイル画像作成方法であって、
前記動画の記録中に音声レベルを検出する検出工程と、
前記検出された音声レベルが閾値を超えたか否かを判定する判定工程と、
前記判定工程により前記検出された音声レベルが前記閾値を超えたと判定された場合、現在記録中の動画のフレームを取り込み、該取り込んだフレームの画像に基づき静止画を動画用サムネイル画像として作成するサムネイル作成工程と
を有することを特徴とする動画用サムネイル画像作成方法。
【請求項１４】
記録開始から終了まで連続した１つの記録期間中に作成する動画用サムネイル画像数を指定する指定工程を有し、前記サムネイル作成工程では、前記閾値を超えた音声レベルのうち、最大の音声レベルから順に前記指定された動画用サムネイル画像数分の音声レベルまでの静止画を前記動画用サムネイル画像とすることを特徴とする請求項１３記載の動画用サムネイル画像作成方法。
【請求項１５】
前記サムネイル作成工程では、前記取り込んだフレームの画像の解像度を低下させることによって前記静止画を作成することを特徴とする請求項１３または１４記載の動画用サムネイル画像作成方法。
【請求項１６】
動画を音声とともに記録することが可能な記録装置の動画用サムネイル画像作成方法であって、
前記動画の記録中に周波数毎の音声レベル変動量を検出する検出工程と、
前記検出された周波数毎の音声レベル変動量が閾値を超えたか否かを判定する判定工程と、
前記判定工程により前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成工程と
を有することを特徴とする動画用サムネイル画像作成方法。
【請求項１７】
記録開始から終了まで連続した１つの記録期間中に作成する動画用サムネイル画像数を指定する指定工程を有し、前記サムネイル作成工程では、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする請求項１６記載の動画用サムネイル画像作成方法。
【請求項１８】
前記サムネイル作成工程では、前記取り込んだフレームの画像の解像度を低下させることによって前記静止画を作成することを特徴とする請求項１６または１７記載の動画用サムネイル画像作成方法。
【請求項１９】
動画を音声とともに記録することが可能な記録装置上で実行されるプログラムであって、
前記動画の記録中に音声レベル変動量を検出する検出ステップと、
前記検出された音声レベル変動量が閾値を超えたか否かを判定する判定ステップと、
前記判定ステップにより前記検出された音声レベル変動量が前記閾値を超えたと判定された場合、現在記録中の動画のフレームを取り込み、該取り込んだフレームの画像に基づき静止画を動画用サムネイル画像として作成するサムネイル作成ステップと
を有することを特徴とするプログラム。
【請求項２０】
記録開始から終了まで連続した１つの記録期間中に作成する動画用サムネイル画像数を指定する指定ステップを有し、前記サムネイル作成ステップでは、前記閾値を超えた音声レベル変動量のうち、最大の音声レベル変動量から順に前記指定された動画用サムネイル画像数分の音声レベル変動量までの静止画を前記動画用サムネイル画像とすることを特徴とする請求項１９記載のプログラム。
【請求項２１】
前記サムネイル作成ステップでは、前記取り込んだフレームの画像の解像度を低下させることによって前記静止画を作成することを特徴とする請求項１９または２０記載のプログラム。
【請求項２２】
動画を音声とともに記録することが可能な記録装置上で実行されるプログラムであって、
前記動画の記録中に音声レベルを検出する検出ステップと、
前記検出された音声レベルが閾値を超えたか否かを判定する判定ステップと、前記判定ステップにより前記検出された音声レベルが前記閾値を超えたと判定された場合、現在記録中の動画のフレームを取り込み、該取り込んだフレームの画像に基づき静止画を動画用サムネイル画像として作成するサムネイル作成ステップと
を有することを特徴とするプログラム。
【請求項２３】
記録開始から終了まで連続した１つの記録期間中に作成する動画用サムネイル画像数を指定する指定ステップを有し、前記サムネイル作成ステップでは、前記閾値を超えた音声レベルのうち、最大の音声レベルから順に前記指定された動画用サムネイル画像数分の音声レベルまでの静止画を前記動画用サムネイル画像とすることを特徴とする請求項２２記載のプログラム。
【請求項２４】
前記サムネイル作成ステップでは、前記取り込んだフレームの画像の解像度を低下させることによって前記静止画を作成することを特徴とする請求項２２または２３記載のプログラム。
【請求項２５】
動画を音声とともに記録することが可能な記録装置上で実行されるプログラムであって、
前記動画の記録中に周波数毎の音声レベル変動量を検出する検出ステップと、前記検出された周波数毎の音声レベル変動量が閾値を超えたか否かを判定する判定ステップと、
前記判定ステップにより前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成ステップと
を有することを特徴とするプログラム。
【請求項２６】
記録開始から終了まで連続した１つの記録期間中に作成する動画用サムネイル画像数を指定する指定ステップを有し、前記サムネイル作成ステップでは、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする請求項２５記載のプログラム。
【請求項２７】
前記サムネイル作成ステップでは、前記取り込んだフレームの画像の解像度を低下させることによって前記静止画を作成することを特徴とする請求項２５または２６記載のプログラム。
【請求項２８】
請求項１９記載のプログラムをコンピュータ読取り可能に格納したことを特徴とする記憶媒体。
【請求項２９】
請求項２２記載のプログラムをコンピュータ読取り可能に格納したことを特徴とする記憶媒体。
【請求項３０】
請求項２５記載のプログラムをコンピュータ読取り可能に格納したことを特徴とする記憶媒体。
【発明の詳細な説明】
【０００１】
【発明の属する技術分野】
本発明は、動画を音声とともに記録することが可能な記録装置、動画用サムネイル画像作成方法、プログラムおよび記憶媒体に関する。
【０００２】
【従来の技術】
一般に、記録媒体に記録されている動画または静止画は、それぞれのサムネイル画像を用いて管理される。このサムネイル画像は、動画、静止画に関わらず、一つの静止画で表現されることが多い。
【０００３】
また、動画に関しては、サムネイル画像を複数の静止画で構成する場合がある。この場合のサムネイル画像の作成方法としては、録画終了後にサムネイル画像の編集をユーザが行う方法、設定時間毎にフレームを切り出して複数の静止画を作成し、サムネイル画像として作成する方法、重要なシーンを判別して複数のフレームを切り出し、各フレームから複数の静止画を作成してサムネイル画像とする方法などがある。
【０００４】
【発明が解決しようとする課題】
しかしながら、動画を単一の静止画でユーザに提示する場合、単一の静止画からユーザが動画の内容を把握することは非常に困難である。
【０００５】
また、上述したように複数のフレームを切り出してそれぞれの静止画を作成し、これらの静止画をサムネイル画像とする場合は、ユーザの手間が掛かる、不要な画像が多くなる、重要シーンの判別が困難であるなどの問題がある。
【０００６】
本発明の目的は、ユーザの手間を掛けずに、動画中の代表的なシーンを表すサムネイル画像を生成することができる記録装置、動画用サムネイル画像作成方法、プログラムおよび記憶媒体を提供することにある。
【０００７】
【課題を解決するための手段】
請求項１記載の発明は、動画を音声とともに記録することが可能な記録装置であって、前記動画の記録中に音声レベル変動量を検出する検出手段と、前記検出された音声レベル変動量が閾値を超えたか否かを判定する判定手段と、前記判定手段により前記検出された音声レベル変動量が前記閾値を超えたと判定された場合、現在記録中の動画のフレームを取り込み、該取り込んだフレームの画像に基づき静止画を動画用サムネイル画像として作成するサムネイル作成手段とを備えることを特徴とする。
【０００８】
請求項２記載の発明は、請求項１記載の記録装置において、記録開始から終了まで連続した１つの記録期間中に作成する動画用サムネイル画像数を指定する指定手段を備え、前記サムネイル作成手段は、前記閾値を超えた音声レベル変動量のうち、最大の音声レベル変動量から順に前記指定された動画用サムネイル画像数分の音声レベル変動量までの静止画を前記動画用サムネイル画像とすることを特徴とする。
【０００９】
請求項３記載の発明は、請求項１または２記載の記録装置において、前記サムネイル作成手段は、前記取り込んだフレームの画像の解像度を低下させることによって前記静止画を作成することを特徴とする。
【００１０】
請求項４記載の発明は、動画を音声とともに記録することが可能な記録装置であって、前記動画の記録中に音声レベルを検出する検出手段と、前記検出された音声レベルが閾値を超えたか否かを判定する判定手段と、前記判定手段により前記検出された音声レベルが前記閾値を超えたと判定された場合、現在記録中の動画のフレームを取り込み、該取り込んだフレームの画像に基づき静止画を動画用サムネイル画像として作成するサムネイル作成手段とを備えることを特徴とする。
【００１１】
請求項５記載の発明は、請求項４記載の記録装置において、記録開始から終了まで連続した１つの記録期間中に作成する動画用サムネイル画像数を指定する指定手段を備え、前記サムネイル作成手段は、前記閾値を超えた音声レベルのうち、最大の音声レベルから順に前記指定された動画用サムネイル画像数分の音声レベルまでの静止画を前記動画用サムネイル画像とすることを特徴とする。
【００１２】
請求項６記載の発明は、請求項４または５記載の記録装置において、前記サムネイル作成手段は、前記取り込んだフレームの画像の解像度を低下させることによって前記静止画を作成することを特徴とする。
【００１３】
請求項７記載の発明は、動画を音声とともに記録することが可能な記録装置であって、前記動画の記録中に周波数毎の音声レベル変動量を検出する検出手段と、前記検出された周波数毎の音声レベル変動量が閾値を超えたか否かを判定する判定手段と、前記判定手段により前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成手段とを備えることを特徴とする。
【００１４】
請求項８記載の発明は、請求項７記載の記録装置において、記録開始から終了まで連続した１つの記録期間中に作成する動画用サムネイル画像数を指定する指定手段を備え、前記サムネイル作成手段は、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする。
【００１５】
請求項９記載の発明は、請求項７または８記載の記録装置において、前記サムネイル作成手段は、前記取り込んだフレームの画像の解像度を低下させることによって前記静止画を作成することを特徴とする。
【００１６】
請求項１０記載の発明は、動画を音声とともに記録することが可能な記録装置の動画用サムネイル画像作成方法であって、前記動画の記録中に音声レベル変動量を検出する検出工程と、前記検出された音声レベル変動量が閾値を超えたか否かを判定する判定工程と、前記判定工程により前記検出された音声レベル変動量が前記閾値を超えたと判定された場合、現在記録中の動画のフレームを取り込み、該取り込んだフレームの画像に基づき静止画を動画用サムネイル画像として作成するサムネイル作成工程とを有することを特徴とする。
【００１７】
請求項１１記載の発明は、請求項１０記載の動画用サムネイル画像作成方法において、記録開始から終了まで連続した１つの記録期間中に作成する動画用サムネイル画像数を指定する指定工程を有し、前記サムネイル作成工程では、前記閾値を超えた音声レベル変動量のうち、最大の音声レベル変動量から順に前記指定された動画用サムネイル画像数分の音声レベル変動量までの静止画を前記動画用サムネイル画像とすることを特徴とする。
【００１８】
請求項１２記載の発明は、請求項１０または１１記載の動画用サムネイル画像作成方法において、前記サムネイル作成工程では、前記取り込んだフレームの画像の解像度を低下させることによって前記静止画を作成することを特徴とする。
【００１９】
請求項１３記載の発明は、動画を音声とともに記録することが可能な記録装置の動画用サムネイル画像作成方法であって、前記動画の記録中に音声レベルを検出する検出工程と、前記検出された音声レベルが閾値を超えたか否かを判定する判定工程と、前記判定工程により前記検出された音声レベルが前記閾値を超えたと判定された場合、現在記録中の動画のフレームを取り込み、該取り込んだフレームの画像に基づき静止画を動画用サムネイル画像として作成するサムネイル作成工程とを有することを特徴とする。
【００２０】
請求項１４記載の発明は、請求項１３記載の動画用サムネイル画像作成方法において、記録開始から終了まで連続した１つの記録期間中に作成する動画用サムネイル画像数を指定する指定工程を有し、前記サムネイル作成工程では、前記閾値を超えた音声レベルのうち、最大の音声レベルから順に前記指定された動画用サムネイル画像数分の音声レベルまでの静止画を前記動画用サムネイル画像とすることを特徴とする。
【００２１】
請求項１５記載の発明は、請求項１３または１４記載の動画用サムネイル画像作成方法において、前記サムネイル作成工程では、前記取り込んだフレームの画像の解像度を低下させることによって前記静止画を作成することを特徴とする。
【００２２】
請求項１６記載の発明は、動画を音声とともに記録することが可能な記録装置の動画用サムネイル画像作成方法であって、周波数毎の音声レベル変動量を検出する検出工程と、前記検出された周波数毎の音声レベル変動量が閾値を超えたか否かを判定する判定工程と、前記判定工程により前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成工程とを有することを特徴とする。
【００２３】
請求項１７記載の発明は、請求項１６記載の動画用サムネイル画像作成方法において、記録開始から終了まで連続した１つの記録期間中に作成する動画用サムネイル画像数を指定する指定工程を有し、前記サムネイル作成工程では、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする。
【００２４】
請求項１８記載の発明は、請求項１６または１７記載の動画用サムネイル画像作成方法において、前記サムネイル作成工程では、前記取り込んだフレームの画像の解像度を低下させることによって前記静止画を作成することを特徴とする。
【００２５】
請求項１９記載の発明は、動画を音声とともに記録することが可能な記録装置上で実行されるプログラムであって、前記動画の記録中に音声レベル変動量を検出する検出ステップと、前記検出された音声レベル変動量が閾値を超えたか否かを判定する判定ステップと、前記判定ステップにより前記検出された音声レベル変動量が前記閾値を超えたと判定された場合、現在記録中の動画のフレームを取り込み、該取り込んだフレームの画像に基づき静止画を動画用サムネイル画像として作成するサムネイル作成ステップとを有することを特徴とする。
【００２６】
請求項２０記載の発明は、請求項１９記載のプログラムにおいて、記録開始から終了まで連続した１つの記録期間中に作成する動画用サムネイル画像数を指定する指定ステップを有し、前記サムネイル作成ステップでは、前記閾値を超えた音声レベル変動量のうち、最大の音声レベル変動量から順に前記指定された動画用サムネイル画像数分の音声レベル変動量までの静止画を前記動画用サムネイル画像とすることを特徴とする。
【００２７】
請求項２１記載の発明は、請求項１９または２０記載のプログラムにおいて、前記サムネイル作成ステップでは、前記取り込んだフレームの画像の解像度を低下させることによって前記静止画を作成することを特徴とする。
【００２８】
請求項２２記載の発明は、動画を音声とともに記録することが可能な記録装置上で実行されるプログラムであって、前記動画の記録中に音声レベルを検出する検出ステップと、前記検出された音声レベルが閾値を超えたか否かを判定する判定ステップと、前記判定ステップにより前記検出された音声レベルが前記閾値を超えたと判定された場合、現在記録中の動画のフレームを取り込み、該取り込んだフレームの画像に基づき静止画を動画用サムネイル画像として作成するサムネイル作成ステップとを有することを特徴とする。
【００２９】
請求項２３記載の発明は、請求項２２記載のプログラムにおいて、記録開始から終了まで連続した１つの記録期間中に作成する動画用サムネイル画像数を指定する指定ステップを有し、前記サムネイル作成ステップでは、前記閾値を超えた音声レベルのうち、最大の音声レベルから順に前記指定された動画用サムネイル画像数分の音声レベルまでの静止画を前記動画用サムネイル画像とすることを特徴とする。
【００３０】
請求項２４記載の発明は、請求項２２または２３記載のプログラムにおいて、前記サムネイル作成ステップでは、前記取り込んだフレームの画像の解像度を低下させることによって前記静止画を作成することを特徴とする。
【００３１】
請求項２５記載の発明は、動画を音声とともに記録することが可能な記録装置上で実行されるプログラムであって、前記動画の記録中に周波数毎の音声レベル変動量を検出する検出ステップと、前記検出された周波数毎の音声レベル変動量が閾値を超えたか否かを判定する判定ステップと、前記判定ステップにより前記検出された周波数毎の音声レベル変動量が前記閾値を超えたと判定された場合、現在記録中の動画のフレームを取り込み、該取り込んだフレームの画像に基づき静止画を動画用サムネイル画像として作成するサムネイル作成ステップとを有することを特徴とする。
【００３２】
請求項２６記載の発明は、請求項２５記載のプログラムにおいて、記録開始から終了まで連続した１つの記録期間中に作成する動画用サムネイル画像数を指定する指定ステップを有し、前記サムネイル作成ステップでは、前記閾値を超えた周波数毎の音声レベル変動量のうち、最大の周波数毎の音声レベル変動量から順に前記指定された動画用サムネイル画像数分の音声レベル変動量までの静止画を前記動画用サムネイル画像とすることを特徴とする。
【００３３】
請求項２７記載の発明は、請求項２５または２６記載のプログラムにおいて、前記サムネイル作成ステップでは、前記取り込んだフレームの画像の解像度を低下させることによって前記静止画を作成することを特徴とする。
【００３４】
請求項２８記載の発明は、請求項１９記載のプログラムをコンピュータ読取り可能に格納したことを特徴とする。
【００３５】
請求項２９記載の発明は、請求項２２記載のプログラムをコンピュータ読取り可能に格納したことを特徴とする。
【００３６】
請求項３０記載の発明は、請求項２５記載のプログラムをコンピュータ読取り可能に格納したことを特徴とする。
【００３７】
【発明の実施の形態】
以下、本発明の実施の形態について図面を参照しながら説明する。
【００３８】
（第１実施の形態）
図１は本発明の第１実施の形態に係る記録装置としてのビデオカメラの構成を示すブロック図である。
【００３９】
ビデオカメラ１０１は、図１に示すように、プログラムメモリ１１１に格納されているプログラムに基づき装置全体の制御を行うＣＰＵ１０１と、動画および静止画を撮影するカメラ１０２を制御するカメラ制御部１０３と、画像の表示や操作のための表示を行うために表示部１０４を制御する表示制御部１０５と、ボタンやキー、ペン入力のためのデジタイザを含み、ユーザが操作を行う操作部１０６と、静止画、動画の符号化、復号化を行う符号化／復号化部１０７と、音声を取り込むマイク１０８および音声やキータッチ音などの音声を出力するスピーカ１１０を介して、音の入出力を制御する音声制御部１０９と、フラッシュメモリ、ＳＲＡＭ、ＤＲＡＭなどで構成され、データを格納するデータメモリ１１２と、静止画や動画を格納する外部記憶装置１１３を制御する外部記憶制御部１１４と、有線または無線によって外部機器やネットワークとの通信を行う通信制御部１１５と、上記各ブロックを相互に接続するバス１１６とを備える。
【００４０】
本実施の形態おいては、プログラムメモリ１１１には、動画の記録中に音量レベル変動量（音声レベル変動量）を検出し、検出された音量レベル変動量が閾値を超えた場合、現在記録中の動画のフレームを取り込み、該取り込んだフレームの画像の解像度を低下させることによって静止画を作成するためのプログラムが含まれている。このプログラムにより作成された静止画は、外部記憶装置１１３に記録された動画を表すためのサムネイル画像として外部記録装置１１３に保存される。
【００４１】
次に、本実施の形態における動画用サムネイル画像作成手順について図２を参照しながら説明する。図２は図１のビデオカメラの動画用サムネイル画像作成手順を示すフローチャートである。本図のフローチャートで示す手順は、プログラムメモリ１１１に格納されているプログラムに従いＣＰＵ１０１によって実行される。
【００４２】
撮影を開始する際には、ユーザが操作部１０６を操作し、動画撮影モードを選択する。そして、シャッターボタンが押下されると、撮影が開始される。
【００４３】
撮影が開始されると、図２に示すように、まずステップＳ２０１において、内部カウンタのカウント値ｎを１に初期化し、続くステップＳ２０２で、現在の音量レベル（音声レベル）を取り込み、Ｐ０とする。ここでは、マイク１０８を介して取り込まれた音声が音声制御部１０９で処理され、ＣＰＵ１０１で音量レベルとして処理可能なデータに変換される。このデータはＣＰＵ１０１に入力される。そして、ステップＳ２０３において、内部カウンタのカウント値ｎが１か否かを判定する。ここで、カウント値ｎが１に等しいと判定された場合は、撮影開始直後であり、撮影開始直後は音量レベルの差を計測するための前のフレームの音量レベルＰ１が求められていないので、ステップＳ２０４において、最初に求められた音量レベルを前のフレームの音量レベルとし、ステップＳ２０５に進む。これに対し、上記カウント値ｎが１でないと判定された場合、上記ステップＳ２０４をスキップしてステップＳ２０５に進む。
【００４４】
ステップＳ２０５では、音量レベルの差の絶対値すなわち音量レベル変動量（音声レベル変動量）│Ｐ０−Ｐ１│が閾値Ｌより大きいか否かを判定する。この閾値Ｌは、予め設定された固定値であってもよいし、ユーザオペレーションにより設定される値であってもよい。音量レベル変動量│Ｐ０−Ｐ１│が閾値Ｌより大きいと判定されたときには、ステップＳ２０６において、現在のフレームをキャプチャし、このフレーム画像の解像度を下げることによって静止画を作成する。この作成された静止画は圧縮符号化されてサムネイル画像として外部記憶装置１１３に格納される。この静止画の圧縮符号化は、通常、符号化／復号化部１０７で行われるが、動画の撮影中は動画の圧縮符号化が行われているので、ＣＰＵ１０１で静止画の圧縮符号化を行うようにしてもよい。なお、サムネイル画像は、外部記憶装置１１３に代えてデータメモリ１１２に格納するようにしてもよい。そして、ステップＳ２０７に進む。これに対し、音量レベル変動量│Ｐ０−Ｐ１│が閾値Ｌより大きくないと判定されたときには、上記ステップＳ２０６をスキップしてステップＳ２０７に進む。
【００４５】
ステップＳ２０７では、カウント値ｎを１インクリメントし、続くステップＳ２０８で、音量レベルＰ１に音量レベルＰ０を代入する。そして、ステップＳ２０９において、撮影が終了したか否かを判定し、撮影が終了したと判定された場合には、本処理を終了する。これに対し、撮影が終了していないと判定された場合には、上記ステップＳ２０２に戻る。
【００４６】
このように、本実施の形態では、音量レベル変動量│Ｐ０−Ｐ１│に応じてフレームを取り込んで静止画を作成し、この静止画をサムネイル画像として保存することによって、ユーザの手間を掛けずに、記録された動画中の代表的なシーンを表すサムネイル画像を生成することができる。また、記録された動画中の代表的なシーンに対応するフレームの選択に、動画の判別を使用しないので、動画中の代表的なシーンを表すサムネイル画像の生成を低コストで実現することができる。
【００４７】
（第２実施の形態）
次に、本発明の第２実施の形態について図３を参照しながら説明する。図３は本発明の第２実施の形態に係る記録装置の動画用サムネイル画像作成手順を示すフローチャートである。本実施の形態は、上述の第１実施の形態と同じ構成を有し、その説明は省略する。
【００４８】
本実施の形態は、上述の第１実施の形態に対し、音量レベル（音声レベル）Ｐが閾値Ｌを超えた場合に、現在記録中の動画のフレームを取り込み、該取り込んだフレーム画像の解像度を低下させることによって静止画を作成する点で異なる。また、閾値Ｌは、上述の第１実施の形態と同様に、予め設定された固定値であってもよいし、ユーザオペレーションにより設定される値であってもよい。
【００４９】
具体的には、シャッターボタンが押下されて動画撮影が開始されると、図３に示すように、まずステップＳ３０１において、現在の音量レベルを取り込み、Ｐにセットする。続いて、ステップＳ３０２において、音量レベルＰが閾値Ｌより小さいか否かを判定する。ここで、音量レベルＰが閾値Ｌより大きいと判断された場合には、ステップＳ３０３で、現在のフレームをキャプチャし、解像度を下げた静止画を作成する。この作成された静止画は圧縮符号化されてサムネイル画像として外部記憶装置１１３に格納される。この静止画の圧縮符号化は、符号化／復号化部１０７で行うようにしてもよいし、ＣＰＵ１０１で行うようにしてもよい。また、サムネイル画像は、外部記憶装置１１３に代えてデータメモリ１１２に格納するようにしてもよい。そして、ステップＳ３０４に進む。これに対し、音量レベルＰが閾値Ｌより大きくないと判定されたときには、上記ステップＳ３０３をスキップしてステップＳ３０４に進む。
【００５０】
ステップＳ３０４では、撮影が終了しているか否かを判定し、撮影が終了しているときには、本処理を終了する。これに対し、撮影が終了していないときには、上記ステップＳ３０１に戻る。
【００５１】
このように、音量レベルの大きさに応じてフレームを取り込んで静止画を作成し、この静止画を動画用サムネイル画像とすることも可能である。
【００５２】
（第３実施の形態）
次に、本発明の第３実施の形態について図４を参照しながら説明する。図４は本発明の第３実施の形態に係る記録装置の動画用サムネイル画像作成手順を示すフローチャートである。本実施の形態は、上述の第１実施の形態と同じ構成を有し、その説明は省略する。
【００５３】
本実施の形態は、上述の第１実施の形態に対し、周波数毎の音量レベルを検出し、検出された周波数毎の音量レベル変動量（音声レベル変動量）ｆ（Ｐ０−Ｐ１）が閾値Ｌを超えた場合に、記録中の動画のフレームを取り込み、該取り込んだフレーム画像の解像度を低下させることによって静止画を作成する点で異なる。また、閾値Ｌは、上述の第１実施の形態と同様に、予め設定された固定値であってもよいし、ユーザオペレーションにより設定される値であってもよい。
【００５４】
具体的には、シャッターボタンが押下されて動画撮影が開始されると、図４に示すように、まずステップＳ４０１において、内部カウンタのカウント値ｎを１に初期化し、続くステップＳ４０２で、現在の音量レベル（音声レベル）を取り込み、Ｐ０とする。ここでは、マイク１０８を介して取り込まれた音声が音声制御部１０９において、ＣＰＵ１０１で処理可能なデータに変換される。このデータは、バンドパスフィルタによって処理された、複数の周波数領域の音量レベルを要素とするベクトルデータとして処理される。
【００５５】
次いで、ステップＳ４０３において、内部カウンタのカウント値ｎが１か否かを判定する。ここで、カウント値ｎが１であると判定された場合は、撮影開始直後であり、撮影開始直後は音量レベルの差を計測するための前のフレームの音量レベルＰ１が求められていないので、ステップＳ４０４において、最初に求められた音量レベルＰ０を前のフレームの音量レベルＰ１とする。そして、ステップＳ４０５に進む。これに対し、カウント値ｎが１でないと判定された場合、上記ステップＳ４０４をスキップしてステップＳ４０５に進む。
【００５６】
ステップＳ４０５では、音量レベルの差の絶対値│Ｐ０−Ｐ１│を所定の評価関数ｆで評価した値（ｆ（│Ｐ０−Ｐ１│））が閾値Ｌより大きいか否かを判定する。ここで、所定の評価関数ｆは、音量レベルＰ０とＰ１の各要素の差に要素に応じた評価係数を乗じるものである。この評価関数ｆを工夫することにより、特定の周波数を有する音声が入力された、あるいは特定の周波数を有する音声が途切れたことを容易に検出することができる。評価関数ｆの評価値ｆ（│Ｐ０−Ｐ１│）が閾値Ｌより大きいときには、ステップＳ４０６において、現在処理中のフレームをキャプチャし、解像度を下げた静止画を作成する。この作成された静止画は圧縮符号化されてサムネイル画像として外部記憶装置１１３に格納される。この静止画の圧縮符号化は、符号化／復号化部１０７で行うようにしてもよいし、ＣＰＵ１０１で行うようにしてもよい。また、サムネイル画像は、外部記憶装置１１３に代えてデータメモリ１１２に格納するようにしてもよい。そして、ステップＳ４０７に進む。これに対し、評価関数ｆの評価値ｆ（│Ｐ０−Ｐ１│）が閾値Ｌより大きくないと判定されたときには、上記ステップＳ４０６をスキップしてステップＳ４０７に進む。
【００５７】
ステップＳ４０７では、カウント値ｎを１インクリメントし、続くステップＳ４０８で、音量レベルＰ１に音量レベルＰ０を代入する。そして、ステップＳ２０９において、撮影が終了したか否かを判定し、撮影が終了したと判定された場合には、本処理を終了する。これに対し、撮影が終了していないと判定された場合には、上記ステップＳ４０２に戻る。
【００５８】
このように、評価関数ｆの評価値ｆ（│Ｐ０−Ｐ１│）に応じてフレームを取り込んで静止画を作成することも可能である。
【００５９】
（第４実施の形態）
次に、本発明の第４実施の形態について図５を参照しながら説明する。図５は本発明の第４実施の形態に係る記録装置の動画用サムネル画像作成手順を示すフローチャートである。本実施の形態は、上述の第１実施の形態と同じ構成を有し、その説明は省略する。
【００６０】
本実施の形態は、上述の第１実施の形態に対し、記録開始から終了まで連続した１つの記録期間中に作成する動画用サムネイル画像数Ｎを指定し、閾値Ｌを超えた音量レベル変動量のうち、最大の音量レベル変動量から順に指定された動画用サムネイル画像数分の音量レベル変動量までの静止画を動画用サムネイル画像とする点で異なる。
【００６１】
具体的には、シャッターボタンが押下されて動画撮影が開始されると、図５に示すように、まずステップＳ５０１において、内部カウンタのカウント値ｎを１に初期化し、続くステップＳ５０２で、現在の音量レベルを取り込み、Ｐ０とする。そして、ステップＳ５０３において、作成された静止画の枚数をカウントするためのカウンタｎのカウント値ｎが１か否かを判定する。ここで、カウント値ｎが１に等しいと判定された場合は、撮影開始直後であり、撮影開始直後は音量レベルの差を計測するための前のフレームの音量レベルＰ１が求められていないので、ステップＳ５０４において、最初に求められた音量レベルＰ０を前のフレームの音量レベルＰ１とする。そして、ステップＳ５０５に進む。これに対し、上記カウント値ｎが１でないと判定された場合、上記ステップＳ５０４をスキップしてステップＳ５０５に進む。
【００６２】
ステップＳ５０５では、音量レベルの差の絶対値すなわち音量レベル変動量│Ｐ０−Ｐ１│が閾値Ｌより大きいか否かを判定し、音量レベル変動量│Ｐ０−Ｐ１│が閾値Ｌより大きくないと判定されたときには、ステップＳ５１４において、音量レベルＰ１に音量レベルＰ０を代入する。そして、ステップＳ５１５において、撮影が終了したか否かを判定し、撮影が終了したと判定された場合には、本処理を終了する。これに対し、撮影が終了していないと判定された場合には、上記ステップＳ５０２に戻る。
【００６３】
上記ステップＳ５０５で音量レベル変動量│Ｐ０−Ｐ１│が閾値Ｌより大きいと判定されたときには、ステップＳ５０６において、カウント値ｎが指定された数Ｎ以下であるか否かを判定する。この指定された数Ｎは、記録開始から終了まで連続した１つの記録期間中に作成する動画用サムネイル画像数を示し、予め固定された数値であってもよいし、ユーザオペレーションにより任意に設定される数値であってもよい。ここで、カウント値ｎが指定された数Ｎ以下であるときには、ステップＳ５１１において、静止画を作成した際の音量レベル変動量Ｐ［ｎ］に音量レベル変動量│Ｐ０−Ｐ１│を代入し、続くステップＳ５１２で、現在のフレームをキャプチャし、解像度を下げた静止画を作成する。この作成された静止画は圧縮符号化されてサムネイル画像として外部記憶装置１１３に格納される。次いで、ステップＳ５１４において、音量レベルＰ１に音量レベルＰ０を代入し、続くステップＳ５１５で、撮影が終了したか否かを判定する。撮影が終了したと判定された場合には、本処理を終了する。これに対し、撮影が終了していないと判定された場合には、上記ステップＳ５０２に戻る。
【００６４】
上記ステップＳ５０６でカウント値ｎが指定された数Ｎ以下でないときには、サムネイル画像としての静止画が既に指定された数Ｎ分作成されているので、ステップＳ５０７において、サムネイル用静止画を作成した際の音量レベル変動量Ｐ［１］〜Ｐ［Ｎ］の中から音量レベル変動量が最小であるＰ［ｍ］を求め、続くステップＳ５０８で、音量レベル変動量Ｐ［ｍ］が処理中のフレームの音量レベル変動量│Ｐ０−Ｐ１│より大きいか否かを判定する。音量レベル変動量Ｐ［ｍ］が処理中のフレームの音量レベル変動量│Ｐ０−Ｐ１│より大きくないと判定された場合には、処理中のフレームの音量レベル変動量│Ｐ０−Ｐ１│が既に保存されているＮ個の音量レベル変動量Ｐ［１］〜Ｐ［Ｎ］に含まれることになるので、ステップＳ５０９において、Ｐ［ｍ］に処理中のフレームの音量レベル変動量│Ｐ０−Ｐ１│を代入する。そして、ステップＳ５１０において、処理中のフレームをキャプチャして静止画を作成し、上記ステップＳ５０７で求められた音量レベル変動量が最小であるＰ［ｍ］に対応する静止画をこの新たに作成された静止画に差し替える。これにより、サムネイル画像として外部記憶装置１１３に保存されているＮ個の静止画が新たなサムネイル画像として更新されることになる。
【００６５】
次いで、ステップＳ５１４において、音量レベルＰ１に音量レベルＰ０を代入し、続くステップＳ５１５で、撮影が終了したか否かを判定する。撮影が終了したと判定された場合には、本処理を終了する。これに対し、撮影が終了していないと判定された場合には、上記ステップＳ５０２に戻る。
【００６６】
上記ステップＳ５０８で音量レベル変動量Ｐ［ｍ］が処理中のフレームの音量レベル変動量│Ｐ０−Ｐ１│より大きいと判断された場合には、処理中におけるフレームの音量レベル変動量│Ｐ０−Ｐ１│が既に保存されているＮ個の音量レベル変動量Ｐ［１］〜Ｐ［Ｎ］には含まれないことになるので、静止画を作成することなく、上記ステップＳ５０９およびステップＳ５１０をスキップしてステップＳ５１４に進む。
【００６７】
このように、記録開始から終了まで連続した１つの記録期間中に作成する動画用サムネイル画像数Ｎを指定し、閾値Ｌを超えた音量レベル変動量のうち、最大の音量レベル変動量から順に指定された動画用サムネイル画像数分の音量レベル変動量までの静止画を動画用サムネイル画像とするので、１つの記録期間中に作成されるサムネイル画像の数を制限することができる。
【００６８】
（第５実施の形態）
次に、本発明の第５実施の形態について図６を参照しながら説明する。図６は本発明の第５実施の形態に係る記録装置の動画用サムネイル画像作成手順を示すフローチャートである。本実施の形態は、上述の第１実施の形態と同じ構成を有し、その説明は省略する。
【００６９】
本実施の形態は、上述の第２実施の形態に対し、記録開始から終了まで連続した１つの記録期間中に作成する動画用サムネイル画像数Ｎを指定し、閾値Ｌを超えた音量レベルのうち、最大の音量レベルから順に指定された動画用サムネイル画像数分の音量レベルまでの静止画を動画用サムネイル画像とする点で異なる。
【００７０】
具体的には、シャッターボタンが押下されて動画撮影が開始されると、図６に示すように、まずステップＳ６０１において、内部カウンタのカウント値ｎを１に初期化し、続くステップＳ６０２で、現在の音量レベルを取り込み、Ｐとする。そして、ステップＳ６０３において、音量レベルＰが閾値Ｌより大きいか否かを判定し、音量レベルＰが閾値Ｌより大きくないと判定されたときには、ステップＳ６１２において、撮影が終了したか否かを判定し、撮影が終了したと判定された場合には、本処理を終了する。これに対し、撮影が終了していないと判定された場合には、上記ステップＳ６０２に戻る。
【００７１】
上記ステップＳ６０３で音量レベルＰが閾値Ｌより大きいと判定されたときには、ステップＳ６０４において、カウント値ｎが指定された数Ｎ以下であるか否かを判定する。この指定された数Ｎは、記録開始から終了まで連続した１つの記録期間中に作成する動画用サムネイル画像数を示し、予め固定された数値であってもよいし、ユーザ操作により任意に設定される数値であってもよい。ここで、カウント値ｎが指定された数Ｎ以下であるときには、ステップＳ６０９において、静止画を作成した際の音量レベルＰ［ｎ］に音量レベルＰを代入し、続くステップＳ６１０で、現在のフレームをキャプチャし、解像度を下げた静止画を作成する。この作成された静止画は圧縮符号化されてサムネイル画像として外部記憶装置１１３に格納される。次いで、ステップＳ６１１において、カウント値ｎを１インクリメンとし、続くステップＳ６１２で、撮影が終了したか否かを判定する。撮影が終了したと判定された場合には、本処理を終了する。これに対し、撮影が終了していないと判定された場合には、上記ステップＳ６０２に戻る。
【００７２】
上記ステップＳ６０４でカウント値ｎが指定された数Ｎ以下でないと判定されたときには、サムネイル画像としての静止画が既に指定された数Ｎ分作成されているので、ステップＳ６０５において、サムネイル用静止画を作成した際の音量レベルＰ［１］〜Ｐ［Ｎ］の中から音量レベルが最小であるＰ［ｍ］を求め、続くステップＳ６０５で、音量レベルＰ［ｍ］が処理中のフレームの音量レベルＰより大きいか否かを判定する。音量レベルＰ［ｍ］が処理中のフレームの音量レベルＰより大きくないと判定された場合には、処理中のフレームの音量レベルＰが既に保存されているＮ個の音量レベル変動量Ｐ［１］〜Ｐ［Ｎ］に含まれることになるので、ステップＳ６０７において、Ｐ［ｍ］に処理中のフレームの音量レベルＰを代入し、続くステップＳ６０８において、フレームをキャプチャして静止画を作成し、上記ステップＳ６０５で求められた音量レベルが最小であるＰ［ｍ］に対応する静止画をこの新たに作成された静止画に差し替える。これにより、サムネイル画像として外部記憶装置１１３に保存されているＮ個の静止画が新たなサムネイル画像として更新されることになる。
【００７３】
次いで、ステップＳ６１２において、撮影が終了したか否かを判定する。撮影が終了したと判定された場合には、本処理を終了する。これに対し、撮影が終了していないと判定された場合には、上記ステップＳ６０２に戻る。
【００７４】
上記ステップＳ６０６で音量レベルＰ［ｍ］が処理中のフレームの音量レベルＰより大きいと判断された場合には、処理中におけるフレームの音量レベルＰが既に保存されているＮ個の音量レベル変動量Ｐ［１］〜Ｐ［Ｎ］には含まれないことになるので、静止画を作成することなく、上記ステップＳ６０７およびステップＳ６０８をスキップしてステップＳ６１２に進む。
【００７５】
このように、記録開始から終了まで連続した１つの記録期間中に作成する動画用サムネイル画像数Ｎを指定し、閾値Ｌを超えた音量レベルのうち、最大の音量レベルから順に指定された動画用サムネイル画像数分の音量レベルまでの静止画を動画用サムネイル画像とするので、１つの記録期間中に作成されるサムネイル画像の数を制限することができる。
【００７６】
（第６実施の形態）
次に、本発明の第６実施の形態について図７を参照しながら説明する。図７は本発明の第６実施の形態に係る記録装置の動画用サムネイル画像作成手順を示すフローチャートである。本実施の形態は、上述の第１実施の形態と同じ構成を有し、その説明は省略する。
【００７７】
本実施の形態は、上述の第３実施の形態に対し、記録開始から終了まで連続した１つの記録期間中に作成する動画用サムネイル画像数Ｎを指定し、閾値Ｌを超えた周波数毎の音量レベル変動量のうち、最大の周波数毎の音量レベル変動量から順に指定された動画用サムネイル画像数分の音量レベルまでの静止画を動画用サムネイル画像とする点で異なる。
【００７８】
具体的には、シャッターボタンが押下されて動画撮影が開始されると、図７に示すように、まずステップＳ７０１において、内部カウンタのカウント値ｎを１に初期化し、続くステップＳ７０２で、現在の音量レベルを取り込み、Ｐ０とする。そして、ステップＳ７０３において、作成された静止画の枚数をカウントするためのカウンタｎのカウント値ｎが１か否かを判定する。ここで、カウント値ｎが１に等しいと判定された場合は、撮影開始直後であり、撮影開始直後は音量レベルの差を計測するための前のフレームの音量レベルＰ１が求められていないので、ステップＳ７０４において、最初に求められた音量レベルＰ０を前のフレームの音量レベルＰ１とする。そして、ステップＳ７０５に進む。これに対し、上記カウント値ｎが１でないと判定された場合、上記ステップＳ７０４をスキップしてステップＳ７０５に進む。
【００７９】
ステップＳ７０５では、音量レベルの差の絶対値│Ｐ０−Ｐ１│を所定の評価関数ｆで評価した値（ｆ（│Ｐ０−Ｐ１│））が閾値Ｌより大きいか否かを判定し、評価関数ｆの評価値（ｆ（│Ｐ０−Ｐ１│））が閾値Ｌより大きくないと判定されたときには、ステップＳ７１４において、音量レベルＰ１に音量レベルＰ０を代入する。そして、ステップＳ７１５において、撮影が終了したか否かを判定し、撮影が終了したと判定された場合には、本処理を終了する。これに対し、撮影が終了していないと判定された場合には、上記ステップＳ７０２に戻る。
【００８０】
上記ステップＳ７０５で評価関数ｆの評価値（ｆ（│Ｐ０−Ｐ１│））が閾値Ｌより大きいと判定されたときには、ステップＳ７０６において、カウント値ｎが指定された数Ｎより小さいか否かを判定する。この指定された数Ｎは、記録開始から終了まで連続した１つの記録期間中に作成する動画用サムネイル画像数を示し、予め固定された数値であってもよいし、ユーザオペレーションにより任意に設定される数値であってもよい。ここで、カウント値ｎが指定された数Ｎ以下であるときには、ステップＳ７１１において、静止画を作成した際の周波数毎の音量レベル変動量Ｐ［ｎ］に評価関数ｆの評価値（ｆ（│Ｐ０−Ｐ１│））を代入し、続くステップＳ７１２で、現在のフレームをキャプチャし、解像度を下げた静止画を作成する。この作成された静止画は圧縮符号化されてサムネイル画像として外部記憶装置１１３に格納される。次いで、ステップＳ７１４において、音量レベルＰ１に音量レベルＰ０を代入し、続くステップＳ７１５で、撮影が終了したか否かを判定する。撮影が終了したと判定された場合には、本処理を終了する。これに対し、撮影が終了していないと判定された場合には、上記ステップＳ７０２に戻る。
【００８１】
上記ステップＳ７０６でカウント値ｎが指定された数Ｎ以下でないときには、サムネイル画像としての静止画が既に指定された数Ｎ分作成されているので、ステップＳ７０７において、サムネイル用静止画を作成した際の音量レベル変動量Ｐ［１］〜Ｐ［Ｎ］の中から音量レベル変動量が最小であるＰ［ｍ］を求め、続くステップＳ７０８で、音量レベル変動量Ｐ［ｍ］が評価関数ｆの評価値（ｆ（│Ｐ０−Ｐ１│））より大きいか否かを判定する。音量レベル変動量Ｐ［ｍ］が処理中のフレームに対する評価関数ｆの評価値（ｆ（│Ｐ０−Ｐ１│））より大きくないと判定された場合には、処理中のフレームに対する評価関数ｆの評価値（ｆ（│Ｐ０−Ｐ１│））が既に保存されているＮ個の音量レベル変動量Ｐ［１］〜Ｐ［Ｎ］に含まれることになるので、ステップＳ７０９において、Ｐ［ｍ］に現在処理中のフレームに対する評価値ｆ（│Ｐ０−Ｐ１│）を代入する。そして、ステップＳ７１０において、現在処理中のフレームをキャプチャして静止画を作成し、上記ステップＳ７０７で求められた音量レベル変動量が最小であるＰ［ｍ］に対応する静止画をこの新たに作成された静止画に差し替える。これにより、サムネイル画像として外部記憶装置１１３に保存されているＮ個の静止画が新たなサムネイル画像として更新されることになる。
【００８２】
次いで、ステップＳ７１４において、音量レベルＰ１に音量レベルＰ０を代入し、続くステップＳ７１５で、撮影が終了したか否かを判定する。撮影が終了したと判定された場合には、本処理を終了する。これに対し、撮影が終了していないと判定された場合には、上記ステップＳ７０２に戻る。
【００８３】
上記ステップＳ７０８で音量レベル変動量Ｐ［ｍ］が処理中のフレームの評価関数ｆの評価値（ｆ（│Ｐ０−Ｐ１│））より大きいと判定された場合には、処理中におけるフレームの評価関数ｆの評価値（ｆ（│Ｐ０−Ｐ１│））が既に保存されているＮ個の音量レベル変動量Ｐ［１］〜Ｐ［Ｎ］には含まれないことになるので、静止画を作成することなく、上記ステップＳ７０９およびステップＳ７１０をスキップしてステップＳ７１４に進む。
【００８４】
このように、記録開始から終了まで連続した１つの記録期間中に作成する動画用サムネイル画像数Ｎを指定し、閾値Ｌを超えた周波数毎の音量レベル変動量のうち、最大の音量レベル変動量から順に指定された動画用サムネイル画像数分の音量レベル変動量までの静止画を動画用サムネイル画像とするので、１つの記録期間中に作成されるサムネイル画像の数を制限することができる。
【００８５】
なお、サムネイルを作成するシーンが時間的に近い場合に集中してしまうと、画像全体の把握を行うことができなくなるので、音声レベルの順にシーンを選択する場合に、それまでに選択されているシーンの時間と比較して、あらかじめ決めた所定の時間間隔が無い場合には、そのシーンのサムネイルは生成しないようにすると使い勝手がよい。
【００８６】
この処理のためのプログラムも、プログラムメモリ１１１に格納されており、ＣＰＵの制御により実行される。
【００８７】
なお、本発明は、上述の実施形態の機能（図２ないし図７に示すフローチャートを含む）を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることはいうまでもない。
【００８８】
この場合、記憶媒体から読出されたプログラムコード自体が前述した実施形態の機能を実現することになり、そのプログラムコードを記憶した記憶媒体は本発明を構成することになる。
【００８９】
プログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることはいうまでもない。
【００９１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることはいうまでもない。
【００９２】
【発明の効果】
以上説明したように、本発明によれば、音声レベル変動量、音声レベルまたは周波数毎の音声レベル変動量が閾値を超えた場合に、現在記録中の動画のフレームを取り込んで静止画を作成し、動画用サムネイル画像とするので、ユーザの手間を掛けずに、動画中の代表的なシーンを表すサムネイル画像を生成することができる。
【図面の簡単な説明】
【図１】本発明の第１実施の形態に係る記録装置としてのビデオカメラの構成を示すブロック図である。
【図２】図１のビデオカメラの動画用サムネイル画像作成手順を示すフローチャートである。
【図３】本発明の第２実施の形態に係る記録装置の動画用サムネイル画像作成手順を示すフローチャートである。
【図４】本発明の第３実施の形態に係る記録装置の動画用サムネイル画像作成手順を示すフローチャートである。
【図５】本発明の第４実施の形態に係る記録装置の動画用サムネル画像作成手順を示すフローチャートである。
【図６】本発明の第５実施の形態に係る記録装置の動画用サムネイル画像作成手順を示すフローチャートである。
【図７】本発明の第６実施の形態に係る記録装置の動画用サムネイル画像作成手順を示すフローチャートである。
【符号の説明】
１０１  ＣＰＵ
１０２  カメラ
１０３  カメラ制御部
１０４  表示部
１０５  表示制御部
１０６  操作部
１０７  符号化／復号化部
１０８  マイク
１０９  音声制御部
１１１  プログラムメモリ
１１２  データメモリ
１１３  外部記憶装置
１１４  外部記憶制御部
【図１】
2004159265.tif 000003
【図２】
2004159265.tif 000004
【図３】
2004159265.tif 000005
【図４】
2004159265.tif 000006
【図５】
2004159265.tif 000007
【図６】
2004159265.tif 000008
【図７】
2004159265.tif 000009